(57)【要約】【課題】複数系統の外部入力端子を有するテレビジョン受像機において、各入力系統間でのクロストークを防止しつつ、部品点数を削減し回路構成を簡素化する。【解決手段】各信号入力ライン２１乃至２４によって入力された音声信号は、抵抗Ｒ１とツェナーダイオード１６を有する単一のバイアス回路４１によって所定のバイアス電圧がかけられる。ツェナーダイオード１６は、電源電圧Ｖｃｃが逆バイアス方向に印加されるように、カソードが抵抗Ｒ１を介して電源に接続される。さらにダイオード３１、３２、３３、３４は、電源電圧Ｖｃｃが順バイアス方向に印加されるように接続される。入力信号選択部１５によって選択されなかったチャンネルの音声信号は、バイアス回路４１によってバイアスがかけられ、漏洩が防止される。【選択図】図２
2009290489.tif 000002
【特許請求の範囲】
【請求項１】
放送信号を受信する受信手段と、
前記受信手段によって受信された映像信号に基づいて映像を出力する映像出力手段と、  前記受信手段によって受信された音声信号に基づいて音声を出力する音声出力手段と、  複数の外部機器と接続され、各外部機器から映像信号又は音声信号を入力するための複数系統の外部入力端子と、
各系統の外部入力端子から入力された映像信号又は音声信号のうち、いずれかの映像信号又は音声信号を選択して前記映像出力手段又は音声出力手段出力する入力信号選択手段と、
前記複数系統の外部入力端子から入力された映像信号又は音声信号を前記入力信号選択手段に入力するために各系統毎に設けられた信号入力ラインと、
前記各系統の信号入力ラインによって前記入力信号選択手段に入力される映像信号又は音声信号にバイアスをかけるバイアス回路とを備えたテレビジョン受像機において、
前記各系統の信号入力ラインによって前記入力信号選択手段に入力される映像信号又は音声信号は、単一系統の前記バイアス回路によってバイアスがかけられることを特徴とするテレビジョン受像機。
【請求項２】
前記単一系統のバイアス回路は、電源電圧が逆バイアス方向に印加されるツェナーダイオードを有し、
各系統の信号入力ラインと前記ツェナーダイオードのアノードとの間に設けられ、前記電源電圧が順バイアス方向に印加されるダイオードをさらに備えたことを特徴とする請求項１に記載のテレビジョン受像機。
【請求項３】
前記単一系統のバイアス回路は、電源電圧を分圧するために設けられた第１抵抗及び第２抵抗を有し、
前記第１抵抗及び第２抵抗によって分圧された電源電圧が順バイアス方向に印加されるダイオードをさらに備えたことを特徴とする請求項１に記載のテレビジョン受像機。
【発明の詳細な説明】
【技術分野】
【０００１】
本発明は、複数系統の入力端子を備えたテレビジョン受像機に関するものである。
【背景技術】
【０００２】
従来から、テレビジョン受像機には、ＤＶＤプレーヤ、デジタル放送チューナやパーソナルコンピュータ等の様々な機器と接続して映像信号や音声信号の入力を受ける複数系統の外部入力端子が備えられている。このようなテレビジョン受像機は、通常、各系統の外部入力端子から入力される信号の中から所望の信号を選択できるように構成され、それに関連する種々の技術が提案されている。
【０００３】
例えば、特許文献１には、複数の入力端子の同期信号を検出してビデオ入力端子の切替の優先順位を決め、入力信号の選択を容易にする技術が示されている。また、特許文献２には、ノイズ信号を検出することにより端子接続の有無を検出し、オンスクリーン表示する技術が示されている。なお、特許文献３には、電源に接続する複数の入力接点と、その間に切り替えスイッチ及びトランジスタを設け、音声モード等の切り替え時に映像が乱れないようにする技術が示されている。特許文献４には、ＵＨＦ帯のテレビジョン信号を受信するとき又はＶＨＦ帯のテレビジョン信号を受信するときに対応してスイッチトランジスタをオン又はオフに切り替える技術が示されている。また、特許文献５には、外部電源を必要としないＳ／Ｎエンハンサモジュールが示されている。
【０００４】
ところで、上述した複数系統の入力端子を有するテレビジョン受像機においては、各入力端子から入力される信号の中から所望の信号を選択するための入力信号選択部が備えられている。
【０００５】
図５は、従来のテレビジョン受像機における入力信号選択部とその周辺の回路を示している。入力信号選択部１５には、チャンネル１の系統に対応する外部入力端子１１、チャンネル２の系統に対応する外部入力端子１２、チャンネル３の系統に対応する外部入力端子１３及びチャンネル４の系統に対応する外部入力端子１４がそれぞれ接続されている。入力信号選択部１５は、それぞれのチャンネルから入力された音声信号のうち、いずれかを選択し信号出力ライン２５から出力する。
【０００６】
入力信号選択部１５によって選択されたチャンネルの音声信号は、入力信号選択部１５の内部でバイアスがかけられて処理される。ところが、選択されなかったチャンネルの信号は、入力信号選択部１５の仕様上バイアスがかからないので、選択されなかったチャンネルの信号のうち負値の成分が選択されたチャンネルの信号に漏洩し、選択されたチャンネルと選択されなかった他のチャンネルとの間でクロストークが生ずることがある。
【０００７】
そこで、このようなチャンネル間のクロストークを防止するために、各系統の端子から入力される信号に所定の直流電圧をバイアスさせる図５に示す４系統のバイアス回路５１〜５４が設けられている。すなわち、チャンネル１の系統に対応する外部入力端子１１から入力される信号には、抵抗Ｒ１１及びＲ１２を含む第１バイアス回路５１によって分圧された電源電圧Ｖｃｃがバイアスされる。同様に、チャンネル２の系統に対応する外部入力端子１２から入力される信号には、抵抗Ｒ２１及びＲ２２を含む第２バイアス回路５２によって分圧された電源電圧Ｖｃｃが、チャンネル３の系統に対応する外部入力端子１３から入力される信号には、抵抗Ｒ３１及びＲ３２を含む第３バイアス回路５３によって分圧された電源電圧Ｖｃｃが、チャンネル４の系統に対応する外部入力端子１４から入力される信号には、抵抗Ｒ４１及びＲ４２を含む第４バイアス回路５４によって分圧された電源電圧Ｖｃｃがそれぞれバイアスされる。
【０００８】
【特許文献１】実開平１−９７６８０号公報
【特許文献２】特開２０００−４１１９６号公報
【特許文献３】特開平５−３１３７６３号公報
【特許文献４】特開２００２−３０００６５号公報
【特許文献５】特開平１１−２９８８１８号公報
【発明の開示】
【発明が解決しようとする課題】
【０００９】
しかしながら、図５に示す回路を備えた従来のテレビジョン受像機においては、各系統の外部入力端子から入力される信号に所定の直流電圧をバイアスするために、各系統毎にバイアス回路が必要となることから、テレビジョン受像機を構成する部品点数が増加し、回路構成が複雑化するという問題が生ずる。特に近年のテレビジョン受像機においては、高級機の場合、１０系統以上の外部入力端子が装備されることがあり、外部入力端子が増えるほど部品点数が増加し、回路構成が複雑化するという問題が助長される。かかる問題は、上記特許文献に示された技術を用いても解決することができない。
【００１０】
本発明は、上記問題を解決するためになされたものであり、複数系統の外部入力端子を有するテレビジョン受像機において、各入力系統間でのクロストークを防止しつつ、部品点数を削減し回路構成を簡素化することができる技術を提供することを目的とする。
【課題を解決するための手段】
【００１１】
上記目的を達成するために請求項１の発明は、
放送信号を受信する受信手段と、
前記受信手段によって受信された映像信号に基づいて映像を出力する映像出力手段と、  前記受信手段によって受信された音声信号に基づいて音声を出力する音声出力手段と、  複数の外部機器と接続され、各外部機器から映像信号又は音声信号を入力するための複数系統の外部入力端子と、
各系統の外部入力端子から入力された映像信号又は音声信号のうち、いずれかの映像信号又は音声信号を選択して前記映像出力手段又は音声出力手段出力する入力信号選択手段と、
前記複数系統の外部入力端子から入力された映像信号又は音声信号を前記入力信号選択手段に入力するために各系統毎に設けられた信号入力ラインと、
前記各系統の信号入力ラインによって前記入力信号選択手段に入力される映像信号又は音声信号にバイアスをかけるバイアス回路とを備えたテレビジョン受像機において、
前記各系統の信号入力ラインによって前記入力信号選択手段に入力される映像信号又は音声信号は、単一系統の前記バイアス回路によってバイアスがかけられるものである。
【００１２】
請求項２の発明は、請求項１に記載のテレビジョン受像機において、
前記単一系統のバイアス回路は、電源電圧が逆バイアス方向に印加されるツェナーダイオードを有し、
各系統の信号入力ラインと前記ツェナーダイオードのアノードとの間に設けられ、前記電源電圧が順バイアス方向に印加されるダイオードをさらに備えたものである。
【００１３】
請求項３の発明は、請求項１に記載のテレビジョン受像機において、
前記単一系統のバイアス回路は、電源電圧を分圧するために設けられた第１抵抗及び第２抵抗を有し、
前記第１抵抗及び第２抵抗によって分圧された電源電圧が順バイアス方向に印加されるダイオードをさらに備えたものである。
【発明の効果】
【００１４】
請求項１の発明によれば、各系統の信号入力ラインによって入力信号選択手段に入力される映像信号又は音声信号は、単一系統のバイアス回路によってバイアスがかけられるので、各入力系統間でのクロストークを防止しつつ、テレビジョン受像機の回路構成を簡素化することができる。
【００１５】
請求項２の発明によれば、ツェナーダイオードのツェナー電圧より大きな電圧が電源から印加されたとき、ツェナーダイオードにかかる電圧がツェナー電圧に等しくなるように電流が流れる。これにより、各系統毎に設けられた信号入力ラインを介して入力信号選択手段に入力される映像信号又は音声信号にバイアスがかかるので、各入力系統間でのクロストークを防止できる。また、各系統の信号入力ラインとツェナーダイオードのアノードとの間に設けられているダイオードの整流作用により、各系統の外部入力端子から入力された映像信号又は音声信号が他の系統の信号に混入し、影響を及すことがない。さらに、バイアス回路を構成するツェナーダイオードは単一で済み、各入力系統毎に単一のダイオードを追加すればよいので、図５に示した従来のテレビジョン受像機と比較すると、３系統以上の入力系統を備える場合において、部品点数を削減でき回路構成を簡素化することができる。
【００１６】
請求項３の発明によれば、各系統毎に設けられた信号入力ラインを介して入力信号選択手段に入力される映像信号又は音声信号に、第１抵抗及び第２抵抗によって分圧された電源電圧が、バイアス電圧として印加される。これにより、各入力系統間での信号のクロストークを防止できる。また、第１抵抗及び第２抵抗によって分圧された電源電圧が順バイアス方向に印加されるダイオードの整流作用により、各系統の外部入力端子から入力された映像信号又は音声信号が他の系統の信号に混入し、影響を及すことがない。さらに、バイアス回路を構成する電源電圧を分圧するための抵抗は一組（二個）で済み、各入力系統毎に単一のダイオードを追加すればよいので、図５に示した従来のテレビジョン受像機と比較すると、３系統以上の入力系統を備える場合において、部品点数を削減でき回路構成を簡素化することができる。
【発明を実施するための最良の形態】
【００１７】
（第１実施形態）
本発明を実施するための一実施形態について図面を参照して説明する。図１は、テレビジョン受像機の内部構成を示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部４と、映像音声信号処理部４によって分離された映像信号を出力するモニタ画面を備えた映像出力部（映像出力手段）５と、映像音声信号処理部４によって分離された音声信号を出力するスピーカを備えた音声出力部（音声出力手段）６と、上記各部を制御するＣＰＵ等の制御部（制御手段）７と、映像音声又は音声信号を入力するための４系統の外部入力端子１１、１２、１３、１４と、外部入力端子１１、１２、１３、１４から入力された音声信号を選択する入力信号選択部（入力信号選択手段）１５等によって構成されている。
【００１８】
チューナ２は、アナログ放送信号及びデジタル放送信号を受信する。映像音声信号処理部４は、チューナ２が受信したアナログ放送信号及びデコーダ３によって復調されたデジタル放送信号をデジタル放送信号を処理する。映像出力部５は、制御部７から出力された指令信号に基づいて、例えば、１６：９フルモード、１６：９シネマモード、１６：９エクスパンドモード及び４：３サイドバーモード、４：３フルモード、４：３シネマモード等のスクリーンモードで画像を表示することができる。
【００１９】
外部入力端子１１、１２、１３、１４は、それぞれチャンネル１、２、３、４に対応し、アナログの音声信号が入力される。チャンネル１の外部入力端子１１は、例えばコンポジット入力端子とされ、コンポジット出力端子を備えたＤＶＤプレーヤ等の外部機器が接続される。同様にチャンネル２の外部入力端子１２は、例えばコンポーネント入力端子とされ、コンポーネント出力端子を備えたゲーム機等の外部機器が接続され、チャンネル３の外部入力端子１３は、例えばＨＤＭＩ端子とされ、ハードディスクレコーダ等の外部機器が接続され、チャンネル４の外部入力端子１４は、例えばパーソナルコンピュータ等の外部機器が接続される。
【００２０】
図２は、テレビジョン受像機１における入力信号選択部１５とその周辺の回路を示している。入力信号選択部１５には、チャンネル１の系統に対応する外部入力端子１１、チャンネル２の系統に対応する外部入力端子１２、チャンネル３の系統に対応する外部入力端子１３及びチャンネル４の系統に対応する外部入力端子１４がそれぞれ接続されている。入力信号選択部１５は、それぞれのチャンネルから入力された音声信号のうち、いずれかを選択し信号出力ライン２５から出力する。信号出力ライン２５は、例えば音声出力部６（図１参照）に接続され、入力信号選択部１５から出力された音声信号を音声出力部６に伝送する。
【００２１】
外部入力端子１１は、音声信号を入力信号選択部１５に入力するための信号入力ライン２１を介して入力信号選択部１５と接続されている。同様に、外部入力端子１２は、信号入力ライン２２を介して入力信号選択部１５と接続され、外部入力端子１３は、信号入力ライン２３を介して入力信号選択部１５と接続され、外部入力端子１４は、信号入力ライン２４を介して入力信号選択部１５と接続されている。信号入力ライン２１、２２、２３、２４によって４系統の信号入力ラインが形成されている。
【００２２】
ユーザは、テレビジョン受像機１に付属のリモコン装置を操作することにより、所望の入力系統を選択することができる。リモコン装置は、ユーザの操作に応じた赤外線信号をテレビジョン受像機１に送信し、テレビジョン受像機１の受信部（図示せず）は、受信した赤外線信号を電気信号に変換して制御部７に転送する。制御部７は、受信部から転送された電気信号に応じて入力信号選択部１５を制御し、入力系統が切り替えられる。
【００２３】
各信号入力ライン２１、２２、２３、２４によって入力される音声信号には、単一のバイアス回路４１によって所定のバイアス電圧がかけられる。バイアス回路４１は、電源に接続された抵抗Ｒ１とツェナーダイオード１６を有している。音声信号にかけるバイアス電圧は、抵抗Ｒ１とツェナーダイオード１６によって設定される。抵抗Ｒ１は、ツェナーダイオード１６に流れる電流を制限し、入力信号選択部１５及びツェナーダイオード１６を保護する。
【００２４】
ツェナーダイオード１６は、電源電圧Ｖｃｃが逆バイアス方向に印加されるように、カソードが抵抗Ｒ１を介して電源に接続されている。ツェナーダイオード１６のアノードは、ダイオード３１、３２、３３、３４を介して４系統の信号入力ライン２１、２２、２３、２４に接続されている。ダイオード３１、３２、３３、３４は、電源電圧Ｖｃｃが順バイアス方向に印加されるように、すなわちダイオード３１、３２、３３、３４のアノードがツェナーダイオード１６のアノードと、ダイオード３１、３２、３３、３４のカソードが信号入力ライン２１、２２、２３、２４とそれぞれ接続されている。なお、音声出力部６がステレオスピーカを有している場合には、右側スピーカに対応する信号入力ライン２１、２２、２３、２４及びダイオード３１、３２、３３、３４と、左側スピーカに対応する信号入力ライン２１、２２、２３、２４及びダイオード３１、３２、３３、３４が形成される。
【００２５】
図３は、外部入力端子１１、１２、１３、１４に入力される音声信号と、入力信号選択部１５に入力される音声信号を示している。外部入力端子１１、１２、１３、１４に入力される音声信号は、バイアスがかけられる前の信号であり、図中破線で示すように、０［Ｖ］を中心として振動する。入力信号選択部１５として広く用いられているＩＣは、その仕様により入力信号の範囲が０〜９［Ｖ］と設定されているものがある。このようなＩＣにおいては、選択されたチャンネルから入力された信号に関しては、ＩＣ内部でバイアスがかかり上述した範囲内に納まる。しかしながら、選択されたチャンネルから入力された信号に関しては、ＩＣの仕様上ＩＣ内部でバイアスがかからないため、このままの波形（図３において破線で示した波形）で入力信号選択部１５に入力されると、入力信号選択部１５によって選択されなかったチャンネルの音声信号のうち負値の成分が上述した範囲を逸脱する。その結果、選択されなかったチャンネルの音声信号のうち負値の成分が漏洩し、選択されたチャンネルの音声信号との間でクロストークが生ずる。
【００２６】
そこで、本実施形態においては、バイアス回路４１のツェナーダイオード１６によって降下させた電源電圧Ｖｃｃを用いて外部入力端子１１、１２、１３、１４に入力された音声信号にバイアスをかけ、図中実線で示す波形、すなわちバイアスによって嵩上げされた波形の音声信号を入力信号選択部１５に入力する。これにより、入力信号選択部１５によって選択されなかったチャンネルの音声信号にもバイアスがかけられることから、選択されたチャンネルの音声信号に漏洩することがなくなり、各入力系統間での音声信号のクロストークを防止できる。
【００２７】
以上のように、本実施形態のテレビジョン受像機１によれば、各系統の信号入力ライン２１、２２、２３、２４によって入力信号選択部１５に入力される音声信号は、単一系統のバイアス回路４１によってバイアスがかけられるので、各入力系統間でのクロストークを防止しつつ、テレビジョン受像機１の回路構成を簡素化することができる。また、ツェナーダイオード１６のツェナー電圧より大きな電圧が電源から印加されたとき、ツェナーダイオード１６にかかる電圧がツェナー電圧に等しくなるように電流が流れる。これにより、各系統毎に設けられた信号入力ライン２１、２２、２３、２４を介して入力信号選択部１５に入力される音声信号にバイアスがかかるので、入力信号選択部１５に入力される音声信号は入力信号選択部１５の仕様に応じて嵩上げされ、各入力系統間でのクロストークを防止できる。また、各系統の信号入力ライン２１、２２、２３、２４とツェナーダイオード１６のアノードとの間に設けられているダイオード３１、３２、３３、３４の整流作用により、各系統の外部入力端子１１、１２、１３、１４から入力された音声信号が他の系統の信号に混入し、影響を及すことがない。さらに、バイアス回路４１を構成するツェナーダイオード１６は単一で済み、各入力系統毎に単一のダイオード３１、３２、３３又は３４を追加すればよいので、図５に示した従来のテレビジョン受像機と比較すると、３系統以上の入力系統を備える場合において、部品点数を削減でき回路構成を簡素化することができる。
【００２８】
（第２実施形態）
図４は、本発明の別の実施形態のテレビジョン受像機に適用される入力信号選択部１５とその周辺の回路を示している。第１実施形態と同様に、入力信号選択部１５には、チャンネル１の系統に対応する外部入力端子１１、チャンネル２の系統に対応する外部入力端子１２、チャンネル３の系統に対応する外部入力端子１３及びチャンネル４の系統に対応する外部入力端子１４がそれぞれ接続されている。入力信号選択部１５は、それぞれのチャンネルから入力された音声信号のうち、いずれかを選択し信号出力ライン２５から出力する。
【００２９】
外部入力端子１１は、音声信号を入力信号選択部１５に入力するための信号入力ライン２１を介して入力信号選択部１５と接続されている。同様に、外部入力端子１２は、信号入力ライン２２を介して入力信号選択部１５と接続され、外部入力端子１３は、信号入力ライン２３を介して入力信号選択部１５と接続され、外部入力端子１４は、信号入力ライン２４を介して入力信号選択部１５と接続されている。信号入力ライン２１、２２、２３、２４によって４系統の信号入力ラインが形成されている。
【００３０】
各信号入力ライン２１、２２、２３、２４によって入力された音声信号は、単一のバイアス回路４２によって所定のバイアス電圧がかけられる。バイアス回路４２は、電源電圧Ｖｃｃを分圧する第１抵抗Ｒ５及び第２抵抗Ｒ６等を有している。
【００３１】
各系統の信号入力ライン２１、２２、２３、２４には、それぞれ整流用のダイオード３１、３２、３３、３４のカソードが接続されている。ダイオード３１、３２、３３、３４は、第１抵抗Ｒ５及び第２抵抗Ｒ６によって分圧された電源電圧Ｖｃｃが順バイアス方向に印加されるように、すなわち、ダイオード３１、３２、３３、３４のアノードが第１抵抗Ｒ５等を介して電源に接続されている。
【００３２】
以上のような構成を有するテレビジョン受像機によれば、各系統の信号入力ライン２１、２２、２３、２４によって入力信号選択部１５に入力される音声信号は、単一系統のバイアス回路４２によってバイアスがかけられるので、各入力系統間でのクロストークを防止しつつ、テレビジョン受像機１の回路構成を簡素化することができる。また、各系統毎に設けられた信号入力ライン２１、２２、２３、２４を介して入力信号選択部１５に入力される音声信号に、第１抵抗Ｒ５及び第２抵抗Ｒ６によって分圧された電源電圧Ｖｃｃが、バイアス電圧として印加される。これにより、入力信号選択部１５に入力される音声信号は入力信号選択部１５の仕様に応じて嵩上げされ、各入力系統間での信号のクロストークを防止できる。また、第１抵抗Ｒ５及び第２抵抗Ｒ６によって分圧された電源電圧Ｖｃｃが順バイアス方向に印加されるダイオード３１、３２、３３、３４の整流作用により、各系統の外部入力端子１１、１２、１３、１４から入力された音声信号が他の系統の信号に混入し、影響を及すことがない。さらに、バイアス回路４２を構成する電源電圧Ｖｃｃを分圧するための抵抗Ｒ５、Ｒ６は一組（二個）で済み、各入力系統毎に単一のダイオード３１、３２、３３、３４を追加すればよいので、図５に示した従来のテレビジョン受像機と比較すると、３系統以上の入力系統を備える場合において、部品点数を削減でき回路構成を簡素化することができる。
【００３３】
なお、本発明は上記実施形態の構成に限られることなく、種々の変形が可能である。例えば、入力信号選択部１５によって選択する信号は、音声信号に限られることなく、映像信号であってもよい。また、外部入力端子及び信号入力ラインの系統は、４系統に限られることなく、それより多くても構わない。
【図面の簡単な説明】
【００３４】
【図１】本発明の実施形態によるテレビジョン受像機の構成を示す図。
【図２】同テレビジョン受像機に用いられる入力信号選択部とバイアス回路を示す図。
【図３】同テレビジョン受像機の外部入力端子に入力される音声信号と、入力信号選択部に入力される音声信号を示す図。
【図４】本発明の別の実施形態によるテレビジョン受像機に用いられる入力信号選択部とバイアス回路を示す図。
【図５】従来のテレビジョン受像機に用いられる入力信号選択部とバイアス回路を示す図。
【符号の説明】
【００３５】
１    テレビジョン受像機
２    チューナ（受信手段）
５    映像出力部（映像出力手段）
６    音声出力部（音声出力手段）
１１、１２、１３、１４    外部入力端子
１５    入力信号選択部（入力信号選択手段）
１６    ツェナーダイオード
２１、２２、２３、２４    信号入力ライン
３１、３２、３３、３４    ダイオード
【図１】
2009290489.tif 000003
【図２】
2009290489.tif 000004
【図３】
2009290489.tif 000005
【図４】
2009290489.tif 000006
【図５】
2009290489.tif 000007